(57)【要約】【課題】寝返りにより高さが変化する枕について、横に寝た時と仰向けに寝たときであってもスムーズに高さが変化し且つコンパクトな枕を提案する。【解決手段】下部支持部材と、使用者の頭部を載置する頭部支持部材と、下部支持部材と頭部支持部材の頭部載置側の両縁部を回動可能に接続する第１の側面支持部材、前記下部支持部材と前記頭部支持部材の頭部載置側と反対側の両縁部を回動可能に接続する第２の側面支持部材、前記頭部支持部材の頭部載置側から、前記第２の支持部材の略中間部方向へ前記頭部支持部材を付勢する付勢手段よりなる枕【選択図】図１
2012130640.tif 000002
【特許請求の範囲】
【請求項１】
下部支持部材と、頭を載置する頭部支持部材と、前記下部支持部材と前記頭部支持部材との間の頭を載置する側の側面に、前記下部支持部材及び前記頭部支持部材と接する部位を回動可能に接続した第１の側面支持部材、第１の側面支持部材に対向する側面に配置され前記下部支持部材及び前記頭部支持部材と接する部位を回動可能に接続した第２の側面支持部材、前記頭部支持部材と前記第２の側面支持部材間に付勢手段を設けた枕。
【請求項２】
前記付勢手段は、前記頭部支持部材の頭部載置側から、前記第２の側面支持部材の略中間部方向へ付勢する請求項１に記載の枕。
【請求項３】
前記付勢手段は、前記頭部支持部材の頭部載置側の複数の部位から、前記第２の側面支持部材の略中間部方向へ、付勢する請求項１に記載の枕。
【請求項４】
前記付勢手段は、前記頭部支持部材の複数部位を付勢する複数の付勢用部材、複数の前記付勢用部材を、前記第２の側面支持部材の外側の面に沿って、同一方向に付勢する付勢駆動部を有する請求項１に記載の枕。
【請求項５】
前記下部支持部材に対し、前記頭部支持部材が、前記付勢手段の付勢力によって、前記頭部支持部材が所定の高さまで立ち上がる制限手段を具えた請求項１に記載の枕。
【請求項６】
前記付勢手段の付勢力を任意に調整することができる調整手段を具えた請求項１に記載の枕。
【発明の詳細な説明】
【技術分野】
【０００１】  本発明は、頭部の位置に適切に対応する枕に関する。
【背景技術】
【０００２】  従来、就寝時に使用者の頭部を支え負荷の少ない安定した姿勢で睡眠状態を得るために種々の枕が提案され使用されている。特に、睡眠時に寝返りを行うことで仰向け姿勢（仰臥）と横向き姿勢（横臥）とを交互に繰り返し姿勢を変化させることに対応して、その高さを変化させる枕が提案されている。【０００３】  特開２００７−４４４９０には、下部支持部材に対して使用者の頭部が載置される頭部支持部材と、前記下部支持部材上に設けられ前記略平行状態を維持して前記頭部支持部材を上下動可能に支持する複数の傾斜した支持部材を支持する機構と、前記支持部材を前記傾斜した方向に倒す荷重に対抗して直接又は他の部材を介して前記支持部材を付勢する付勢手段により、前記頭部支持部材を上下に移動させる構成が記載されている。この付勢手段の斜め下方向への付勢力によって前記頭部支持部材を上方向へ持ち上げる力は、頭部の仰向けの際の重さより小さく設定することで、横向き姿勢は、適度な高さで頭を支持し、仰向けに寝返ると、頭の重さが増して、付勢力を越え、頭部支持部材が下降することで、常に頭の位置に従った枕の高さを実現している。
【先行技術文献】
【特許文献】
【０００４】
【特許文献１】特開２００７−４４４９０号公報
【発明の概要】
【発明が解決しようとする課題】
【０００５】  ところで、特開２００７−４４４９０は、図５でしめすように、上部の頭部支持部材０２と下部の下部支持部材０３に対し、頭部支持部材０２と下部支持部材０３の間の両側面を回動可能に接続して支える第１の支持部材０４及び対向する第２支持部材０５と、頭部支持部材０２の内側に接続し、斜め下方向へ付勢して、前記頭部支持部材０２の上下の移動を行う付勢力形成手段０１との組み合わせが示されているが、付勢力形成手段０１によって生じる付勢力０１ａは、下部支持部材０３と頭部支持部材０２との間のおよそ対角線状に加えられている。【０００６】  この付勢力０１ａは、図５で示すように横方向０１ｃと下方向の力０１ｂに分解できるが、下方向への力０１ｂは、頭が載置された際、頭が頭部支持部材０２を押す方向と同じであり、下降しようとする力であることからこの力が大きいと、横向き寝で頭を十分に支えることができなかったり、頭部支持部材０２のスムーズな上下運動ができない要因を形成してしまう場合がある。
このような状況を克服するには、更に大きな付勢力が生じる駆動手段が必要となるため、付勢力を発生させる装置自体が大きくなる。
【課題を解決するための手段】
【０００７】  上記に鑑み本発明者は、鋭意研究の結果、下部支持部材と、頭を載置する頭部支持部材と、前記下部支持部材と前記頭部支持部材との間の頭を載置する側の側面を支持し、前記下部支持部材及び前記頭部支持部材と接する部位を中心に回動可能に接続された第１の側面支持部材、第１の側面支持部材に対向する側面に配置され前記下部支持部材及び前記頭部支持部材と接する部位を中心に回動可能に接続された第２の側面支持部材、前記頭部支持部材と前記第２の側面支持部材間に付勢手段を設けた枕により、付勢力の方向をより有効な力が発揮出来る方向とし、付勢手段の小型化とより簡素な構成を実現する。
より好ましくは、前記付勢手段は前記頭部支持部材の頭部載置側から、前記第２の側面支持部材の略中間部方向へ付勢することで、瞬時にして静かで且つスムースな頭部支持部材の上下動を行う寝心地の良い枕を実現する。【０００８】  更に本発明は、付勢力を調整する調整手段を設けることで、寝心地や頭の重さに応じた、横向き姿勢から仰向け姿勢への寝返りに伴う枕の上下動の動作を任意に行うことを実現する。
更に本発明は、付勢力伝達部材を頭部支持部材の複数の位置で接続配置することで、頭部支持部材の上下の運動を安定させることができ、枕のどの位置に頭が来ても安定した水平の上下動を可能とする。
即ち、睡眠状態にある使用者の頭が枕の中心に乗っておらず、又寝相によって頭が枕の端へいっても、頭部支持部材はスムースな上下動を水平に行うものである。
又、仰向けの状態で、頭部支持部材の位置が最低部位となったとしても、水平状態が維持されているため、偏った状態で、頭が枕内に不用意に埋もれることなく枕部材による顔の側面に対する圧迫感がなく安定した状態を形成できる場合もある。【０００９】  本発明における下部支持部材及び頭部支持部材は、非変形性の部材が好ましく又、より薄くできる材質が好ましい。形状は、枕全体の形状を決めるが、例えば長方形状、楕円形状、等寝具にあった様々な形状を取り得る。又、両者は、異なる形状であってもよく、厚みも、下部支持板を厚くし頭部支持板を薄くした状態としてもよい。
本発明における第１の側面支持部材は、頭部を載置する方向に配置されるものであり、長方形状で非変形性を有する例えば硬質プラスチック等で形成されても良い。
第１側面支持部材は、上部を、頭部支持部材と接触する部位で回動可能に接続され、下部を下部支持部材と接触する部位で回動可能に接続される。
接触する部位とは、頭部支持部材の縁部と第１側面支持部材の縁部同志の接触や、頭部支持部材の裏面と第１側面支持部材の縁部との接触した部分を示す。頭部支持部材と第２側面支持部材との接触、下部支持部材と第１側面支持部材との接触、及び下部支持部材と第２側面支持部材も同様の接触構成を有する。この接触は、蝶番等の付設により、回動可能な接続状態を形成する場合がある。
回動可能な接続状態は、例えば特開２００７−４４４９０号公報に示されており、有効に利用可能である。【００１０】  付勢手段は、頭部支持部材の裏面であって、頭を載せる方向に近い部位から、第２側面支持部材の中間方向へ、付勢力を生じさせるものが好ましく、手動、電動、いずれの場合でも好適に利用されるが、枕は、寝具であることから、より静かな上下動が求められることから、バネ、ゴム等の弾性部材が好適であるが、例えば、電力によって、伸縮する形状記憶合金製のワイヤー、静かに伸縮することで付勢力を発生させるものを使用しても良い。
付勢方向が、第２側面支持部材の中間部とする場合の中間部とは、例えば、中心部から上であって、少なくとも、付勢力により頭部支持部材が起き上がるまでの距離までを示す。
又、中心部から下、下部支持部材方向であっても、この付勢力が頭部支持部材が横向きで頭を支える際、無駄がない力で支えられる位置であればその位置も含まれるものである。
【発明の効果】
【００１１】  本発明は、下部支持部材と、頭を載置する頭部支持部材と、前記下部支持部材と前記頭部支持部材の間の使用者の頭を載置する側の側面を支持し、前記下部支持部材及び前記頭部支持部材と接する部位を中心に回動可能に接続された第１の側面支持部材、第１の側面支持部材に対向する側面に配置され前記下部支持部材及び前記頭部支持部材と接する部位を中心に回動可能に接続された第２の側面支持部材、前記頭部支持部材と前記第２の側面支持部材間に付勢手段を設けたことにより、付勢手段の無駄な付勢力を解消することで、付勢手段の小型化を図り、寝返りの際の頭部支持部材の静かでスムースな上下運動を可能とすると共に複数の付勢手段を前記頭部支持部材と前記第２の側面支持部材との間に設けることで、枕のどの部分に頭をおいた状態であっても、寝返りの際、枕は、安定して上下動を行うと共に、付勢手段を第２側面支持部材に装着することで、更にコンパクトな枕を実現する。
【図面の簡単な説明】
【００１２】
【図１】本発明の一実施の形態を説明する為の図である。
【図２】本発明の他の実施例を示す図である。
【図３】本発明の他の実施例を説明する為の図である。
【図４】本発明の他の実施例を説明する為の図である。
【図５】従来例を説明する為の図である。
【発明を実施するための形態】
【００１３】本発明の実施の形態の一例を図１を参照して詳細に説明する。
１１は、頭部支持部材であり、長方形状で、プラスチック材、木材等で形成されている。
１２は、下部支持部材であり、頭部支持部材１１と同様、長方形状で頭部支持部材と同様の材料で形成されている。
１３は、第１側面支持部材であり、頭部支持部材と同様の材料でかつ長方形状を有しており、使用者が寝た状態で頭部を置く側に配置されている。
１４は、第２側面支持部材であり、頭部支持部材と同様の材料でかつ長方形状を有しており、使用者が寝た状態で頭部を置く側と対向する側に位置されている。
【００１４】  頭部支持部材１１と第１側面支持部材１３の上部縁部は、蝶番等の回動可能な接続具２２ａによって接続され、第１側面支持部材１３の下部縁部と下部支持部材１２は、回動可能な接続具２２ｃによって接続され、頭部支持部材１１と第２側面支持部材１４の上部縁部は、回動可能な接続具２２ｂによって接続され、下部支持部材１２と第２側面支持部材１４の下部縁部は、回動可能な接続具２２ｄによって接続された状態となっている。
これら接続具２２ａから２２ｄは、例えば、特開２００７−４４４９０号公報に記載されたものが好適に使用される。
１５は、付勢手段であり、内部に付勢力を形成する引っ張りバネ、ゴム、弦巻バネ、等の弾性部材が内蔵されている。又場合によって、電動ポンプ、による陰圧発生機構、付勢部材巻き取りローター等電動式を用いても良い。
【００１５】  付勢手段１５は、第２側面支持部材１４上に、ネジ、リベット等を用いて結合されていてもよい。
１６は付勢力伝達部材であり、ワイヤー、綿製ロープ等で形成されている  付勢力伝達部材１６は、一端が付勢手段１５と接続し、他端が、頭部支持部材の裏面であって、頭部を置く側に接続されている。付勢手段１５と付勢力伝達部材１６との接続部位は、第２側面支持部材の略中間部となっており、第２側面支持部材１４の略中間部から、前記頭部支持部材１１と付勢伝達部位が接続している部位であるフック１７ａ付近を付勢している。第２側面支持部材１４の略中間部とは、中央だけを意味するのではなく、中央付近から、上部方向であって、少なくとも、付勢力によりこれらの支持部材が、倒置した状態や、復帰する状態が形成される範囲であれば良い。
【００１６】  １７ａは、フックであり、付勢力伝達部材１６の一端と接続するものである。１７ｂは、フック固定部材であり、フック１７ａと接続し且つ頭部支持部材１１の裏面に接続固定されている。
図１（ｂ）の１７ａ’は、フックであって、付勢力伝達部材１６’の一端と接続するものである。１７ｂ’は、フック固定部材であり、フック１７ａ’と接続し且つ頭部支持部材１１の裏面に接続固定されている。
【００１７】  図１（ａ）で、第２側面支持部材１４と付勢力伝達部材１６による付勢力を出力する部分の位置を１４ａと１４ｂで示した。１４ａ＝１４ｂ、１４ｂ＞１４ａであって、より頭部支持部材１１に近くても良いが、１４ｂ＜１４ａであってもよい場合もある。即ち、付勢手段１５の付勢力１６ａの下方向の力１６ｂを小さくして、より水平方向の力１６ｃを大きくすることで、無駄な力が少なくすることができることから、駆動源となる弾性部材を小さくしたりすることができ、付勢手段の大きさを小さくすることができる。又、駆動源を電気式にした場合は、付勢力の有効な使用は、電力消費を抑得るなどの効果を有する。
【００１８】  図１でしめす様に横向きで寝た状態では、第２側面支持部材１４の中央から、頭部支持部材１１を引っ張ることで生じる付勢力１６ａは、下方向への力１６ｂと水平方向への力１６ｃに分解されるものであるが、この下方向の力１６ｂが、比較の為、従来例として示した付勢力形成手段０１の対角線的な付勢力０１ａにおける下方向への力０１ｂに比べて小さくなることで、余分な力を小さくすることができ、また、支持部材の上下の運動を形成する水平方向の力１６ｃを従来の水平力０１ｃよりも大きくすることができることから、付勢力を発生させる弾性部材の付勢力を小さくすることが出来ると共に付勢手段の小型化が図られたり、より大きな枕を小さな付勢手段で、上下操作させることを可能とする。２３は、緩衝部材であって、クッションで形成され、頭を載せる部分を形成し、ウレタンフォーム、スポンジ、綿、畳等の通常枕の材料として用いられる緩衝性を有する材料で形成されている。
【００１９】  図１（ａ）において、１８、及び１９は、ストッパーであり、頭部支持部材１１が、付勢手段１５の付勢力によって起き上がる高さを制限する手段である。
より具体的には、特開２００７−４４４９０号公報で記載されたストッパー機構が好適に利用される。
２０は、調整用ダイヤルであり、回転、摺動、押したり、引いたりするボタン等で形成され、付勢手段の付勢力を調整する為のものである。尚、付勢力が、電動式で形成される場合は、タッチ式スイッチなどであっても良い場合もある。
２１は、表示部であり、例えば、触った感触や目視によって付勢力の大きさがわかるような移動する突起と突起状の目盛りを具えている。この表示部は、調整用ダイヤル２０を操作すると連動して移動して、表示位置を変え、付勢力の大きさ、寝返りの際の頭部支持板の上下移動の早さや、頭の重さに応じた、頭部支持板の上下移動のタイミングを表示し、寝た状態でも触ると付勢力の大きさがわかるようになっていることが好ましい。
【００２０】  図１の状態は、使用者が横向きで寝ている状態で頭Ｈがクッションにおかれている。
付勢手段１５が付勢力伝達部材１６を介して頭部支持部材１１の裏面に発生させる付勢力１６ａは、肩によって頭が多少支えられている状態で頭が頭部支持部材１１に与える重さよりも大きく設定されている。
付勢手段１５は、付勢力伝達部材１６を介して頭部支持部材１１に、その付勢力１６ａ（水平方向の引っ張る力１６ｃ）を加えることで、頭部支持部材１１を立ち上がらせて頭を支持する。
次に仰向けに寝ると、肩による支えが無くなるため、頭の重さが直接頭部支持部材１１にかかることで、付勢力１６ａよりも上回り、頭部支持部材１１は、第１側面支持部材１３及び第２側面支持部材１４の回動により、倒れるように下方向へ移動するが、その際、付勢力１６ａの水平方向の力１６ｃが次第に大きくなると共に、頭部支持部材１１は付勢力伝達部材１６を引っ張る方向に倒れる為、付勢手段１５内の付勢駆動源の付勢力が増加することから、抵抗力となって一時に下降するのではなく、徐々に下降していく。この様な付勢力による、頭部支持部材１１の上下運動は、予め設定された付勢力の閾値に基づき、この閾値以下であると、横向けに寝た状態で頭を支え、仰向けに寝ると、頭の重さが付勢力の閾値を越えるため、頭部支持部材１１が下に瞬時に且つスムーズに移動することで、快眠を誘う。
【００２１】  又、仰向け寝から横向け寝に寝返った場合も、本発明は、第２側面支持部材の中間から頭部支持部材１１の先端方向へ付勢力を生じさせているため、付勢力の水平方向の力が大きいことから、頭部支持板１１はスムーズに立ち上がり、常に、頭を支持する枕となる。
更にこの付勢力の閾値を調整する手段と調整用ダイヤル２０を設けることで、頭の重さが普通のひとより重い場合や軽い場合でも、頭部支持部材１１が、寝返りに応じて上下運動を行う枕も可能となる。
【００２２】  この調整用ダイヤル２０は、これを回すことで、内部の付勢駆動力が、調整できる。ダイヤル調整用ダイヤル２０を動かすと、連動して摺動し、閾値の程度が目で見て又触った感触で、付勢力の強さが認識できる表示部を２１に示した。
付勢手段１５と、閾値を調整する調整手段の具体的構成は、実施例に示すものであるが、少なくとも付勢力とこの付勢力を調整できる調整手段の組み合わせであれば良い。
又、付勢力伝達部材を複数形成して、頭部支持部材の複数部位と接続することで、頭部支持部材の端部に頭が来ても寝返りにより十分な上下運動を形成可能とするものである。
付勢力伝達部材と頭部支持部材との接続位置は、例えば図１（ｂ）で示すように中心ＴＯから、長手方向に等間隔ＴＨとすることが好ましいが、これに限るものではない。本数は、２本程度が好ましいが、これに限るものではない。
【００２３】  このように付勢力伝達部材を、頭部支持板の複数の位置に配置し、同時に付勢力を加えることで、頭の位置が、枕のどの部位にあっても頭部支持部材はそのままの状態で安定した上下動作を行うことができる。
尚、付勢力伝達部材は、場合によっては、付勢駆動源として引張りコイルバネに置き換えても良く、頭部支持部材１１の頭部を載置する側の裏面と、第２側面支持部材１４の好ましくは中間部位間に引っ張りコイルバネを接続して、これを付勢手段としても良い場合もある。その場合は、付勢手段１５が不要になる場合もある。
更に、下部支持板１２の頭を載置する側に対し、肩が下部支持板１２に接触しないように、湾曲状の切り込み部１２１が形成されていてもよい。
【実施例１】
【００２４】  次に本発明の実施例を図２を参照して詳細に説明する。
図２は、実施例に係る枕を真上からみた図であり、頭を直接置く緩衝部材は省略した。又、付勢手段の内部構成を説明するために、図２（ａ）は駆動機構を覆う筐体２２０を省略して記載している。
図２（ｂ）は、図２（ａ）のｙ−ｙ’から見た断面図である。更に図２（ｂ）は、本実施例の底面方向から見た図と併せて記載している。
図３は、図２で示す実施例をｘ−ｘ’の切断面を見た断面図であり、図４は、真上から見た図である。【００２５】更に図３と図４は、横向きで寝た状態と、仰向けで寝た状態を併せて示している。
２０１は、頭部支持部材であり、例えば上述した材質を有する長方形状の平板である。
２０２は、第２側面支持部材であり、同様の材質を具えた平板であり、頭部支持部材２０１と第２側面支持部材２０２は、一方の縁部で、回動自在に接続している。第２側面支持部材２０２に、付勢手段１５が形成される。
２０３は第１付勢力伝達部材、２０９は、第２付勢力伝達部材であり、ワイヤー、ロープ類、チェーン、ベルト等、非伸縮性を具えた線状体が用いられる。
第１付勢力伝達部材２０３の一端は、頭部支持部材の裏面に形成されたフック２０５と接続する。フック２０５は、頭部支持部材２０１の裏面に接続したフック固定部材２０５ａと接続している。【００２６】  ２０６は、第１回転体であり、例えば滑車で形成され、その回転軸２０６ｓが第２側面支持部材２０２の平面に沿って固定され、第２側面支持部材２０２に開けられた開口部２０４’にその略半分が収まった形で、回転可能状態で配置されている。
２０８は、第２回転体であり、例えば滑車で形成され、円周部分に回転溝が形成されており、回転軸２０８ｓが第２側面支持部材２０２の平面に沿って固定され、第２側面支持部材２０２に表裏を貫通する様に設けられた開口部２０４にその略半分が収まった形で、第２側面支持部材２０２の面に対して垂直に回転可能状態で配置されている。
２０７は、第１の２連回転体であり、例えば滑車の２連構造体で形成され、回転軸２０７ｓは、第２側面支持部材２０２に直立した状態で固定され、この回転軸２０７ｓを中心にそれぞれが第２側面支持部材２０２の平面上を平行に回転するように形成されている。
図２（ｂ）で示すように第１の２連回転体２０７の上側の上部回転体を２０７ａ、下側の下部回転体を２０７ｂとした。それぞれの円周には、回転溝が形成されている。【００２７】  ２１１は、第２の２連回転体であり、例えば同様の滑車の構造体で形成され、第２側面支持部材２０２上に直立した回転軸２１１ｓを中心に、第２側面支持部材２０２の平面上を平行に回転する２連の回転体であって、第１の２連回転体２０７と同様の構成と設定がされている。
図２（ｂ）で示すように第２の２連回転体の上側の上部回転体を２１１ａ、下側の下部回転体を２１１ｂとした。それぞれの円周には、回転溝が形成されている。
２１２は、第３の２連回転体であり、例えば同様の滑車の構造体で形成され、第２側面支持部材２０２上に垂直に形成された回転軸２１２ｓを中心に、第２側面支持部材２０２の平面上を平行に回転する２連の回転体であって、第１の２連回転体２０７と同様の構成と設定がされている。【００２８】  図２（ｂ）で示すように第３の２連回転体の上側の上部回転体を２１２ａ、下側の下部回転体を２１２ｂとした。それぞれの円周には回転溝が形成されている。
第１付勢力伝達部材２０３は、まず開口部２０４’から、第１の回転体２０６の回転溝に沿いながら、筐体２２０内部に入り込み第１の２連回転体２０７の上部回転体２０７ａの回転溝に沿うように第２の２連回転体２１１の方向へ回転方向を変えて進む。
そして、第１付勢力伝達部材２０３は、第２の２連回転体２１１の下部回転体２１１ｂの溝に沿いながら、第３の２連回転体２１２の下部回転体２１２ｂの溝部方向に方向を変え、更に第３の２連回転体２１２の下部回転体２１２ｂの溝部を沿うことで、進行方向を、引張りコイルバネ２１４方向へ変えて、収束具２１３に接続する。引張りコイルバネ２１４は、引っ張ることで、戻る力を利用するタイプのバネであるが、その他の形状のバネも利用可能である。【００２９】  第２付勢力伝達部材２０９は、その一端をフック２１０と接続する。フック２１０は、頭部支持部材２０１の裏面に接続されたフック固定部材２１０ａと接続している。
第２付勢力伝達部材２０９の他端は、まず第２側面支持部材２０２の中間部に形成された表裏を貫通する開口部２０４にその一部が収容されるように配置された第２回転体２０８の回転溝部に沿って、筐体２２０内部に進行する。更に、第２付勢力伝達部材２０９の他端は、第２の２連回転体２１１の上部回転体２１１ａ方向へ方向を変えて進み、上部回転体２１１ａの回転溝部に沿って、第３の２連回転体２１２の方向へ進行する。更に第２付勢力伝達部材２０９の他端は、第３の２連回転体２１２の上部回転体２１２ａの回転溝部に沿って、進行方向を引っ張りコイルバネ２１方向へ変えて進行し、収束具２１３に接続している。【００３０】  ２１４は、引張りコイルバネであり、一方の先端のフックは、収束具２１３と接続している。収束具２１３は、ここでは、四角枠状に形成したものを示しているが、０リング等でもよく、少なくとも複数の付勢力伝達部材と結合接続されれば、バネ部のフックがその役目を代用しても良い場合もある。
引張りコイルバネ２１４は、コイル状に限らず、樹脂、ゴム等その他の弾性部材が利用できる。
引張りコイルバネ２１４の他端は、線状の調整用伝達部材２１５と接続する。調整用伝達部材２１５は、非伸縮性の部材で形成されていることが好ましく、金属製が例示される。【００３１】  調整用伝達部材２１５の他端は、バネ調整具２１６の中間部に接続している。バネ調整具２１６は、筐体２２０の下部に設置された細長いガイド溝２１７ｇを摺動可能に配置され、バネ調整具２１６の上部には、筐体２２０から突出した指示用突起２１７が設置されている。
バネ調整具２１６の上側には、内部にネジ部を有する貫通口２１６ａが形成されており、そこを周囲にネジ部が施された調整用ボルト２１８が累合状態で貫通し、調整用ボルト２１８の一端は、筐体２２０を貫通して調整用つまみ２１９の回転と連動するように接続する。調整用ボルト２１８の他端には、調整用ボルト用軸受け２２０ｂが接続し、更により先端部には、抜け止め用リング２２０ｃにより抜け止め状態が形成されており、調整用ボルト２１８は、調整用つまみの回転と連動した回転を行う。
２２０は、筐体であり、駆動系を覆う硬質のカバーであって、水平方向等で発生する応力に対し、強力に対向する様に固定されることが好ましい。又、内部の回転体の軸の軸受けとして加工されても良い。
２２１は、下部支持部材であり、頭部支持部材２０１と同じ材料で板状に成型されるが、先端には、曲率を持って形成された切り込み部２２１ａが形成され、横寝をした場合、下部支持部材２２１に肩が触れないようにすることが好ましい。【００３２】  図３において、２２２は、第１側面支持部材であり、長方形状で上述した材料により形成され、一方の縁部を頭部支持部材２０１の縁部と、他方の縁部を下部支持部材２２１と回動自在に接続している。
下部支持部材２２１の他方の縁部は、第２側面支持部材２０２と回動自在に接続している。３０２、３０３は、ストッパであり、付勢力伝達部材が、頭部支持部材へ加える付勢力によって、第１側面支持部材及び第２側面支持部材が、下部支持部材との接続部を中心に回動して頭部支持部材２０１が上部へ移動する際、移動しすぎないように回動を停止させるためのものである。ストッパ３０２、３０３の構成は、特開２００７−４４４９０号公報に示されたものが使用されても良い。
図３（ａ）において、２２ａから２２ｄは、回転可能な接続具であり、図１の説明で用いられたものがそのまま利用できる。【００３３】  次に図２で示した実施例の動作を図２、図３及び図４を参照して詳細に説明する。
まず、枕に頭を載せない状態において、
図２でしめす様にフック２０５とその一端が接続した第１付勢力伝達部材２０３は、第２側面支持部材２０２の中間に設けられた開口部２０４’から第１回転体２０６の回転溝部を沿って、第１の２連回転体２０７の上側回転体２０７ａの回転溝部を通り、第２側面支持部材２０２の面に沿って、第２の２連回転体２１１の下側回転体２１１ｂの回転溝部を通り更に第３の２連回転体２１２の下部回転体２１２ｂの回転溝部に沿って進行し、収束具２１３に接続した状態となる。又、フック２１０とその一端が接続した第２付勢力伝達部材２０９は、第２側面支持部材２０２の中間に設けられた開口部２０４から第２回転体２０８の回転溝部に沿って上方向へ進行して第２の２連回転体２１１の上部回転体２１１ａの回転溝部に沿う。第２付勢力伝達部材２０９の進行方向は、第２側面支持部材２０２の平面方向へ変更され、更に第３の２連回転体２１２の上部回転体２１２ａの回転溝部に沿って、その方向を収束具２１３方向に変える。そして第２付勢力伝達部材２０９の一端は、収束具２１３と接続する。【００３４】  収束具２１３は、引張りコイルバネ２１４の一端に接続し、引張りコイルバネ２１４の他端は、調整用伝達部材２１５を介してバネ調整具２１６に接続する。
バネ調整具２１６は、調整用ボルト２１８上に移動可能に固定されており、バネ調整具２１６が調整用つまみ２１９方向へ移動すると付勢力が強くなり、逆方向へ移動すると弱くなる。
調整用つまみ２１９を回して調整された引っ張りコイルバネ２１４が生じさせる付勢力は、第２付勢力伝達部材２０９と第１付勢力伝達部材２０３を同時に付勢し、頭部支持部材２０１の第１側面支持部材側であって、頭を載置する方向を下斜め方向へ引く力を発生させ、下部支持部材と第１側面支持部材の接続部を中心に回動させ、起き上がらせる。
更に、起き上がる量を調整するため、図３（ａ）でしめすストッパー３０２と３０３が働いて、適当な高さで維持された状態となっており、頭部支持部材２０１と下部支持部材２２１は、略平行な状態となっている。
次に図３（ａ）で示すように使用者が横向き寝をした状態３Ｈで、クッション等の緩衝性部材３０１に頭を置く。頭は、肩で支えられている為、頭部支持部材２０１を押す力は、２つの付勢力伝達手段を介して引張りコイルバネ２１４を引っ張ることから付勢力が増すことで生じる頭部支持部材２０１の上へ押す力を大きくしてバランスをとろうとすることから、頭部支持部材２０１は、調整つまみ２１９で調整された引張コイルバネ２１４の付勢力に基づいて横向け寝の際のバランスのあった力関係で適当な使用者の頭の高さを維持する。【００３５】  次に図３（ｂ）で示すように使用者が、寝返りをすることで、仰向け寝の状態３Ａが形成されると、頭を支持するものが無くなるために、頭部支持部材２０１を押す力が増大する。
この押す力は、頭部支持部材２０１を押し下げようとし、引張りバネコイル２１４の付勢力に基づく第１及び第２の付勢力伝達部材２０３、２０９の付勢力は、その押し下げようとする力が閾値を超えたため、抗し切れず、下部支持部材２２１と接触する程度まで下降し、図４（ａ）の状態となる。
この時、引張りコイルバネ２１４の付勢力が増加しており、図３（ａ）で示す横向け寝や起き上がったときに、この付勢力により、頭部支持部材２０１を第１付勢伝達手段２０３及び第２付勢力伝達手段２０９を介して引っ張り、下部支持部材２２１と第１側面支持部材２２２及び第２側面支持部材２０２との接触線を中心に頭部支持部材２０１を回動させるように起き上がらせる。【００３６】  使用者の頭が頭部支持部材２０１に加える重さと、これに対向する頭部支持部材２０１に対し第２側面支持部材２０２の中間方向から付勢する付勢力の線形的な対向により、頭部支持部材２０１の高さを頭の重さに応じてスムーズに変化させることができ、しかもコンパクトな構成である付勢手段１５を第２側面支持部材上に固定することができ、枕全体もコンパクトになる。
又、図２でしめすように付勢力伝達部材２０３、第２付勢力伝達部材２０９が、頭部支持部材２０１を等間隔で配置されているため、頭が頭部支持部材のどの部分にあっても、寝返りに追従した動きをさせることができ、又、２つの付勢力伝達部材の付勢力の方向を、第２側面支持部材２０２上の平面方向へ変更すると共に、一つにまとめると共に一つの付勢駆動力により、駆動させることで、より効率の良い付勢力と、一つの調整具による調整が可能となる。
又、このような付勢力を付勢力の伝達部材を組み合わせて、一つの付勢駆動源により駆動させる構成を第２側面支持部材上に設けた場合、よりコンパクトな枕であって、一つの調整具により、付勢力の調整を可能としている。
付勢手段１５は、図２で示す様に筐体２２０に駆動部分が全て収容された場合、回転体の回転時の動作音が外部へ漏れないことから駆動が静かであり、寝具としては最適であると共に製造コスト、を低く抑え、軽量化、故障発生率の低減を図ることが出来る。【００３７】  次に横向き寝の場合の頭の高さを調整する場合、寝返りがスムーズになるように調整する場合等、図２でしめす調整用つまみ２１９を所定の方向へ回す。所定の方向とは、調整用ボルト２１８のネジの回転方向によって設定される。
調整用つまみ２１９は、調整用ボルト２１８と連動して接続しているために、同じ方向へ回転する。バネ調整具２１６は、貫通口２１６ａ内の内ネジと調整用ボルト２１８の外ネジが累合しているため、調整用ボルト２１８の回転によって、左右に移動し、調整用つまみ２１９方向へ移動させると、引張りコイルバネ２１４が更に引っ張られるため、頭部支持部材２０１を付勢する付勢力が増加し、頭部支持部材２０１を上方向持ち上げる力が大きくなる。【００３８】  調整用つまみ２１９を逆方向に回すと、バネ調整具２１６は、反対方向へ摺動し、引張りコイルバネ２１４の引っ張られ得る度合いが小さくなり、頭部支持部材２０１の付勢力が小さくなる。更に、調整用つまみ２１９を回すと、付勢力が解消され、折畳んだ状態となり持ち運びが容易になる。
又、バネ調整具２１６の上部には、筐体２２０から突出した指示用突起２１７が形成されており、強さ表示部４０１が多少の凹凸を持つと、指示用突起２１７と、表示部４０１のさわった感触から、引張りコイルバネ２１４の付勢力がわかる為、睡眠を邪魔することなく枕の寝心地等を調整でき、場合によっては、視覚障害者でも枕の寝心地等を容易に調整できる様にすることもできる。【００３９】  本実施例は、仰向き寝の状態から、横向き寝の状態に寝返りを打つ場合、頭部支持部材が上方向へ立ち上がると同時に各支持部材とこれを覆う通気性のある防護カバー部材（図示せず）で囲まれた内部空間が形成されることから、カバー部材を介して外気が枕内部に入り込むことで、頭部を間接的に冷却するラジエター的作用も期待できる。
又、頭部支持部材が上下動する際、大量の空気が出入りするために上述の様な防護カバーで覆って使用する場合は、これに適当なポケットを空気の出入り部に形成し、ポケット内部に芳香剤、やポプリ、ハーブ等を入れておくと、寝返りをする毎に香りをかぐことが出来、癒し、安らぎの効果を生み、良質の睡眠が得られる。
【産業上の利用可能性】
【００４０】  本発明は、寝返りに追従して枕の高さが変化し、快眠を誘うことができる枕であって、よりコンパクトな構造を持つことから、自宅、ホテルにおいて安眠を誘う枕としての寝具を提供する
【符号の説明】
【００４１】１１  頭部支持部材
１２  下部支持部材
１３  第１側面支持部材
１４  第２側面支持部材
１５  付勢手段
１６  付勢力伝達部材
１８  ストッパー
１９  ストッパー
２０  調整用ダイヤル
２１  表示部
２３  緩衝性部材
【図１】
2012130640.tif 000003
【図２】
2012130640.tif 000004
【図３】
2012130640.tif 000005
【図４】
2012130640.tif 000006
【図５】
2012130640.tif 000007